(57)【要約】【課題】安価な構成の扉ロック機構を提供することを目的とする。【解決手段】扉２を閉めた状態で差込口に鍵を差し込んでキーシリンダー３を回転させると、連結リンク２６が上昇して２つの挿通孔２６ａ、２６ｂの下辺によりスタッド１８を押し上げ、第１のロックブラケット１０と第２のブラケット１６の嵌合を解除すると共に第１のロックブラケット１０が係止溝１０ａから扉ロックポスト７ａ、７ｂを開放して扉２が開けるようロックを解除することを特徴とする。【選択図】図８
2011058164.tif 000002
【特許請求の範囲】
【請求項１】
回転により開閉する扉を有する筺体に設けられ、鍵の差込口を設けたキーシリンダーと、
前記扉の裏側に設けられた上下２つのロックポストと、
上部及び下部に挿通孔を有し、前記キーシリンダーの回転に伴って上昇し、スライド動作するように前記筺体に設けられた連結リンクと、
前記２つのロックポストと対応するように前記筺体に回転可能に２つ設けられ、それぞれ前記ロックポストが嵌まる係止溝を有すると第１のロックブラケットと、
該２つの第１のロックブラケットと嵌合可能なように前記筺体に回転可能に２つ設けられ、それぞれ前記挿通孔に挿通するスタッドを有する第２のロックブラケットと、
前記第１のロックブラケットを上方に回転させるように付勢する第１の付勢手段と、
前記第２のロックブラケットを下方に回転させるように付勢する第２の付勢手段を備え、
縦方向の長さを前記スタッドの直径と同じ長さとし、横方向の長さを前記スタッドの移動を妨げない長さとするように前記各挿通孔の大きさを定め、
前記扉を閉めた状態で前記キーシリンダーを回転させると、前記連結リンクが上昇して２つの前記挿通孔の下辺により前記スタッドを押し上げ、前記第１のロックブラケットと第２のロックブラケットの嵌合を解除すると共に前記第１のロックブラケットが前記係止溝から前記ロックポストを開放して前記扉が開けるようロックを解除し、
前記扉を閉めて前記キーシリンダーを施錠する際、片方の前記第１のロックブラケットの係止溝に前記ロックポストが入り込まなかったとき、前記第２のロックブラケットのスタッドに挿通孔の上辺が当接して前記連結リンクが下降を阻止すると共に、前記係止溝に前記ロックポストが入り込んだ別の片方の第１のロックブラケットへの前記第２のロックブラケットの嵌合を阻止して、前記扉がロックされないようにしたことを特徴とする扉ロック機構。
【請求項２】
請求項１記載の扉ロック機構において、
前記第１のロックブラケットの上部に嵌合凹部を設け、
前記第２のロックブラケットの下部に前記嵌合凹部に嵌合する嵌合凸部を設けたことを特徴とする扉ロック機構。
【請求項３】
請求項１記載の扉ロック機構において、
前記第２の付勢手段は該第１の付勢手段より強い付勢力で前記第２のロックブラケット付勢することを特徴とする扉ロック機構。
【請求項４】
請求項１、請求項２または請求項３に記載の扉ロック機構において、
前記連結リンクの上部および下部における前記各第１のロックブラケットと前記各第２のブラケットとの動きを妨げない位置に設けたリンクスタッドと、
該２つのリンクスタッドと対応するように、前記筐体に回転可能に２つ設けられ、前記扉が開いているときに前記リンクスタッドの下側に係合して前記連結リンクの下降を阻止するリンクロック部と、
該リンクロック部を前記リンクスタッド側に回転させるように付勢する第３の付勢手段と、
前記２つのリンクロック部と対応するように前記扉の裏側に２つ設けられ、前記扉が閉じられるときに前記リンクロック部を押圧して回動させることにより、前記リンクスタッドに対する前記リンクロック部の係合を解除させるシャフトとを備え、
前記扉を閉めて前記キーシリンダーを施錠する際、片方の前記第１のロックブラケットの係止溝に前記ロックポストが入り込まなかったとき、前記シャフトによって押圧された前記リンクロックが前記第３の付勢手段により前記シャフトを押し戻して前記扉が閉められないようにしたことを特徴とする扉ロック機構。
【発明の詳細な説明】
【技術分野】
【０００１】
本発明は、自動取引装置に装填される補充回収カセットや紙幣収納カセット等の各種カセットの扉を施錠する扉ロック機構に関する。
【背景技術】
【０００２】
従来の現金自動取引装置に装填されるカセットの扉に設けられた扉ロック機構は、通電状態の場合、扉を開錠するために所定のスイッチを操作することでソレノイドを作動させ、連動リンクを動かしてロックブラケットによる扉の係合を解除し、ロック解除レバーを手動により動かすことで扉が開放されるようにしている（例えば、特許文献１参照。）。
【先行技術文献】
【特許文献】
【０００３】
【特許文献１】特開平１０−２８０７５０号公報（段落「００１３」、図５）
【発明の開示】
【発明が解決しようとする課題】
【０００４】
しかしながら、上述した従来技術においては、ソレノイドを用いた構成であるためカセットに設ける扉ロック機構としては高価となり、実装させるためにはコストが掛かってしまうという問題がある。
【０００５】
そのためより安価な構成の扉ロック機構の実現が期待されている。
【０００６】
本発明は、上記の問題点を解決するための手段を提供することを目的とする。
【課題を解決するための手段】
【０００７】
本発明は、上記課題を解決するために、回転により開閉する扉を有する筺体に設けられ、鍵の差込口を設けたキーシリンダーと、前記扉の裏側に設けられた上下２つのロックポストと、上部及び下部に挿通孔を有し、前記キーシリンダーの回転に伴って上昇し、スライド動作するように前記筺体に設けられた連結リンクと、前記２つのロックポストと対応するように前記筺体に回転可能に２つ設けられ、それぞれ前記ロックポストが嵌まる係止溝を有すると第１のロックブラケットと、該２つの第１のロックブラケットと嵌合可能なように前記筺体に回転可能に２つ設けられ、それぞれ前記挿通孔に挿通するスタッドを有する第２のロックブラケットと、前記第１のロックブラケットを上方に回転させるように付勢する第１の付勢手段と、前記第２のロックブラケットを下方に回転させるように付勢する第２の付勢手段を備え、縦方向の長さを前記スタッドの直径と同じ長さとし、横方向の長さを前記スタッドの移動を妨げない長さとするように前記各挿通孔の大きさを定め、前記扉を閉めた状態で前記キーシリンダーを回転させると、前記連結リンクが上昇して２つの前記挿通孔の下辺により前記スタッドを押し上げ、前記第１のロックブラケットと第２のロックブラケットの嵌合を解除すると共に前記第１のロックブラケットが前記係止溝から前記ロックポストを開放して前記扉が開けるようロックを解除し、前記扉を閉めて前記キーシリンダーを施錠する際、片方の前記第１のロックブラケットの係止溝に前記ロックポストが入り込まなかったとき、前記第２のロックブラケットのスタッドに挿通孔の上辺が当接して前記連結リンクが下降を阻止すると共に、前記係止溝に前記ロックポストが入り込んだ別の片方の第１のロックブラケットへの前記第２のロックブラケットの嵌合を阻止して、前記扉がロックされないようにしたことを特徴とする扉ロック機構。
【発明の効果】
【０００８】
これにより、本発明は、ソレノイドを用いず鍵による扉のロックおよびロックの解除を行なうため、安価に扉ロック機構を実現できるという効果が得られる。
【０００９】
また、機構の全てのロック機構部で扉側のスタッドを係止しないと、キーシリンダーの差込口に差し込まれた鍵が抜けないので、扉のロックをし忘れるという操作ミスを防止して、不正に紙幣が抜き取られてしまうことを防止できるという効果が得られる。
【図面の簡単な説明】
【００１０】
【図１】実施例１のカセットの概略斜視図
【図２】実施例１のカセットの扉が開いた状態の概略斜視図
【図３】扉を示す上面図
【図４】扉を裏側から見た概略斜視図
【図５】ロック機構部の構成を示す概略斜視図
【図６】ロック機構部の各部の位置を示す概略側面図
【図７】扉ロックポストがロック機構部によってロックされた状態を示す概略斜視図
【図８】キーシリンダーを示す概略斜視図
【図９】扉が閉まった状態を示す概略側面図
【図１０】扉を開けたときの様子を示す概略側面図
【図１１】扉が開かれてキーシリンダーから鍵が外されたときの扉ロック機構を示す説明図
【図１２】扉を開閉に伴う第１、第２のブラケットの動作を示す説明図
【図１３】扉が撓んだ様子を示す説明図
【図１４】実施例２の連結リンクとロック機構部の接続を示す概略斜視図
【図１５】実施例２の扉をロックしているときの扉ロック機構を示す説明図
【図１６】ロック解除時の扉ロック機構を示す説明図
【図１７】ロック解除後のキーシリンダーの位置を示す説明図
【図１８】下側のロック機構部の第１のロックブラケットが回動した様子を示す説明図
【図１９】実施例３の扉の裏側を示す説明図
【図２０】実施例３の連結リンクとロック機構部の接続を示す概略斜視図
【図２１】実施例３の扉がロックされているときのロック機構部周辺を示す説明図
【図２２】扉のロックが解除された扉ロック機構を示す説明図
【図２３】ロックが解除されて扉が開いているときの扉ロック機構を示す説明図
【図２４】下部のロック機構部にのみ扉ロックポストが当たった様子を示す説明図
【発明を実施するための最良の形態】
【００１１】
以下に、図面を参照して本発明による扉ロック機構の実施例について説明する。
【実施例１】
【００１２】
図１は実施例１のカセットの概略斜視図、図２は実施例１のカセットの扉が開いた状態の概略斜視図である。
【００１３】
１はカセット本体（筐体）であり、金融機関で用いられる現金自動取引装置の紙幣収納カセットや補充回収カセット等であり、扉２を有している。
【００１４】
２は扉であってカセット本体１に図示しない回転支点により図１に示す矢印Ａ方向に回転自在に取り付けられる。３は扉２の施錠を解除するためのキーシリンダーであり、鍵の差込口（鍵穴）を有して扉２の回転支点と反対側に位置し、カセット本体１の高さ方向のほぼ中央付近に実装される。
【００１５】
なお、キーシリンダー３は差込口が垂直になっているときに鍵の抜き差しが可能に構成されている。
【００１６】
４はロック機構部であり、カセット本体１に実装され、扉２の回転支点と反対側に位置し、カセット本体１の上部と下部の２箇所に実装されている。
【００１７】
図３は扉を示す上面図、図４は扉を裏側から見た概略斜視図である。
【００１８】
図３、図４において、５ａ、５ｂは扉ロックポストユニットであり、扉に固定されたＬ字形状に形成したブラケット６ａ、６ｂと、該ブラケット６ａ、６ｂによって保持され回転支点軸８の軸方向に対して垂直に延びる扉ロックポスト７ａ、７ｂにより構成され、図３に示すように扉２の上部と下部とに１つずつ配置される。
【００１９】
図５はロック機構部の構成を示す概略斜視図である。
【００２０】
図５において、１０は第１のロックブラケットであり、扉ロックポスト７ａ、７ｂを係止するための係止溝１０ａを設けており、回転支点となる回転軸１１を介してベースブラケット１５に回転可能に固定されている。
【００２１】
１２はスタッドであり、第１のロックブラケット１０に取り付けられ、ベースブラケット１５に向かって延びている。
【００２２】
１６は第２のロックブラケットであり、第１のロックブラケット１０の直上に配置され、回転支点となる回転軸１７を介してベースブラケット１５に回転可能に固定されている。
【００２３】
１８はスタッドであり、第２のロックブラケット１６からベースブラケット１５を貫通して後述の挿通孔２６ａ、２６ｂに挿通する長さで形成される。
【００２４】
図５に示すように第１のロックブラケット１０は、第２のロックブラケット１６と対向する部分に嵌合凹部１０ｂが設けられており、一方第２のロックブラケット１６には上記嵌合凹部１０ｂに嵌まり込む嵌合凸部１６ａが設けられており、嵌合凹部１０ｂに嵌合凸部１６ａが嵌まり込み、第２のロックブラケット１６を回転しないよう固定すれば、第１のロックブラケット１０に回転力がかかっても、嵌合凸部１６ａが嵌合凹部１０ｂに嵌まっていて第１のロックブラケット１０の回転が規制される。
【００２５】
なお、嵌合凹部１０ｂに嵌合凸部１６ａが嵌まり込み、第１のロックブラケット１０の回転が規制されたときは、扉２の上部と下部に配されたそれぞれの係止溝１０ａに扉ロックポスト７ａあるいは扉ロックポスト７ｂが入り込んでおり、これによって扉２が施錠された状態となる。
【００２６】
また、第１のロックブラケット１０は、図５に示す嵌合凹部１０ｂの右側に凸部１０ｃを設け、一方第２のロックブラケット１６は図５に示す嵌合凸部１６ａの右側に凹部１６ｂを設けており、後述する扉２のロックが開いた状態の時には第１のロックブラケット１０の凸部１０ｃが第２のロックブラケット１６の凹部１６ｂに嵌まるように、第１、第２のロックブラケット１０、１６が共に回動するので、扉ロックポスト７ａ、７ｂが共に第１のロックブラケット１０の係止溝１０ａによる係止から開放される。
【００２７】
ベースブラケット１５は、コの字状の板金をもとにスタッド１２、１８が挿通する箇所に図示しない穴が設けることによって形成され、その穴は第１のロックブラケット１０および第２のロックブラケット１６が回転するのを妨げない程度の大きさであるものとする。
【００２８】
そのため、スタッド１２、１８は図５に示すベースブラケット１５の第１のロックブラケット１０、第２のロックブラケット１６を取り付けている側から反対側に貫通するようになっている。
【００２９】
また、ベースブラケット１５の第１のロックブラケット１０、第２のロックブラケット１６との対向面と反対側の面には図示しない突起が２箇所に設けられており、その内１箇所は第１のロックブラケット１０を取り付けている位置よりも下方に、もう１箇所は第２のロックブラケット１６が取り付けられている箇所の裏側でかつベースブラケット１５のコの字状に開口している端部の反対側の端部に設けられる。
【００３０】
ここで、図６はロック機構部の各部の位置を示す概略側面図である。
【００３１】
図６において、点線で示す２０は引張りスプリング（第２の付勢手段）で、２１は引張りスプリング（第１の付勢手段）であり、ともにベースブラケット１５の第１のロックブラケット１０と第２のロックブラケット１６を取り付けた面の裏側の面に配されている。
【００３２】
引張りスプリング２０は一端を第２のロックブラケット１６のスタッド１８に引掛け、他端は上述したベースブラケット１５の第１のロックブラケット１０を取り付けている位置よりも下方に設けられた図示しない突起に引掛けられる。
【００３３】
これによって、引張りスプリング２０は回転軸１７を回転支点にして、第２のロックブラケット１６を矢印Ｃ方向に回転させる付勢力を与えている。
【００３４】
引張りスプリング２１は、一端を第１のロックブラケット１０のスタッド１２に引掛け、他端は上述したベースブラケット１５の第２のロックブラケット１６が取り付けられている箇所の裏側でかつベースブラケット１５のコの字状に開口している端部の反対側の端部に設けられた図示しない突起に引掛けられる。
【００３５】
これによって引張りスプリング２１は回転軸１１を回転支点にして第１のロックブラケット１０を矢印Ｄ方向に回転させる付勢力を与えている。
【００３６】
なお、引張りスプリング２１の付勢力よりも、引張りスプリング２０の付勢力の方を大きく設定しており、これにより後述する第１のロックブラケット１０の嵌合凹部１０ｂに第２のロックブラケット１６の嵌合凸部１６ａが嵌合したときに、第２のロックブラケット１６が第１のロックブラケット１０が上方に回転するのを規制することができる。
【００３７】
図７は扉ロックポストがロック機構部によって施錠された状態を示す概略斜視図である。
【００３８】
上述した扉ロックポストユニット５ａ、５ｂと上記のロック機構部４は、扉２が閉められ施錠された状態のとき、図７に示すように扉ロックポスト７ａ、７ｂが第１のロックブラケット１０の係止溝１０ａに嵌合するようになり、これにより扉ロックポスト７ａ、７ｂが係止されるようになる。なお、扉ロックポスト７ａ、７ｂが係止溝１０ａに嵌まるまでの動作は後述する。
【００３９】
図８はキーシリンダーを示す概略斜視図である。
【００４０】
図８において、２５はキーリンクであり、一部に溝を形成したＵ字型であってキーシリンダー３に固定され、キーシリンダー３に鍵が差し込まれて回動した際にそのキーシリンダー３と共に回動する。
【００４１】
２６は連結リンクであり、カセット本体１の図示されないフレームに昇降可能に固定され、矢印Ｇ方向およびＨ方向（上下方向）に昇降可能に構成され、上部及び下部にそれぞれ挿通孔２６ａ、２６ｂを形成し、さらに挿通孔２６ａ、２６ｂが開いている面に対して直角に伸びる突出部２７を有する。
【００４２】
また、突出部２７にはキーシリンダー３が形成されている側に向かって、突出部２７の表面から垂直に延びるスタッド２８が形成され、そのスタッド２８はキーリンク２５のＵ字の溝に嵌まっており、キーリンク２５の回転に伴って押し上げられたり押し下げられたりする。
【００４３】
連結リンク２６は、キーシリンダー３の差込口が垂直となっているときに最下位に位置する。
【００４４】
３０はリンク引張スプリングであり、一端をキーリンク２５のキーシリンダー３に固定されている箇所の反対側に取り付け、他端を図示しないフレームに固定することで、キーリンク２５に対して図４に示す矢印Ｋ方向の力を作用させる。
【００４５】
また、図８に示すように連結リンク２６の上側の挿通孔２６ａには、ロック機構部４ａの第２のロックブラケット１６のスタッド１８が挿通し、連結リンク２６の下側の挿通孔２６ｂには、ロック機構部４ｂの第２のロックブラケット１６のスタッド１８が挿通する。
【００４６】
次に動作について説明する。図９は扉が閉まった状態を示す概略側面図である。
【００４７】
図９では扉２の上側を示しているが、機構的には扉２の下側も同様な構造になっている。
【００４８】
なお、図９ではスタッド２８、キーシリンダー３、キーリンク２５の各部の向きを実際の向きから９０度回転させてロック機構部４と同じ向きで並べて示しているが、これは、スタッド２８、キーシリンダー３、キーリンク２５の向きや位置と、ロック機構部４との関係を明確にするためのものであり、以降に示す各図においても同様にして記載する。
【００４９】
図９では扉２が施錠された様子を示し、扉ロックポスト７ａは第１のロックブラケット１０の係止溝１０ａに入り込んでいる。このとき第１のロックブラケット１０は引張りスプリング２１によって図９の矢印Ｄ方向に示す回転力が作用するが、第２のロックブラケット１６は引張りスプリング２０によって矢印Ｃ方向の回転力が作用すると共に、第１のロックブラケット１０の嵌合凹部１０ｂと第２のロックブラケット１６の嵌合凸部１６ａとが嵌合するので、第１のロックブラケット１０は回転できない状態で固定され保持される。
【００５０】
このとき連結リンク２６の挿通孔２６ａとスタッド１８は接触していない状態になっている。
【００５１】
図１０は扉を開けたときの様子を示す概略側面図である。
【００５２】
図示しない鍵により、キーシリンダー３を図１０に示す矢印Ｊ方向に回転させると、キーシリンダー３と共にキーリンク２５が回転し、キーリンク２５によりスタッド２８が上方に持ち上げられ、それによって連結リンク２６が矢印Ｇ方向に移動（上昇）する。
【００５３】
このとき連結リンク２６の挿通孔２６ａの端部がスタッド１８に当接すると共に持ち上げるようになり、第２のロックブラケット１６が回転軸１７を中心に矢印Ｂ方向に回動するため、第２のロックブラケット１６の嵌合凸部１６ａが第１のロックブラケット１０の嵌合凹部１０ｂに嵌まっていた状態から外れ、第１のロックブラケット１０は引張りスプリング２１によって矢印Ｄ方向に回転する。
【００５４】
これによって、扉ロックポスト７ａが係止溝１０ａに嵌まって係止された状態から外れてその状態で係員が扉２を開こうとすると、扉ロックポスト７ａが係止溝１０ａから離れて図１０の矢印Ｌ方向に動き、扉２が開かれる。
【００５５】
ここで、第１のロックブラケット１０の凸部が第２のロックブラケットの凹部に嵌まることで、扉ロックポスト７ａが係止溝１０ａから外れた状態が維持されるようになる。
【００５６】
また、第２のロックブラケットの凹部に嵌まった第１のロックブラケット１０の凸部は、扉２が再び閉じられることで、第１のロックブラケット１０に扉ロックポスト７ａが衝突することで、外れるようになっている。
【００５７】
図１１は扉が開かれてキーシリンダーから鍵が外されたときの扉ロック機構を示す説明図である。
【００５８】
図１１に示すようにキーシリンダー３の差込口が垂直の状態となったときに、差込口から鍵が抜けるようになる。このとき連結リンク２６は矢印Ｈ方向に移動、つまり下降して扉２が施錠されていた際の状態に戻る。このときに連結リンク２６の挿通孔２６ａの上端とスタッド１８とは接触せず隙間Ｎの分だけ間隔が開いた状態になる。
【００５９】
次に、扉２を閉めて扉２を施錠するには扉２を押し込む必要があり、扉２を押し込むことで扉ロックポスト７ａが第１のロックブラケット１０を押圧し、図１０で示す矢印Ｅ方向に第１のロックブラケット１０が回動する。
【００６０】
ここで、図１２は扉を開閉に伴う第１、第２のブラケットの動作を示す説明図であり、（ａ）は扉が開かれているとき第１、第２のブラケット１０、１６の状態を示し、（ｂ）は扉が閉じられ第１のブラケット１０の嵌合凹部１０ｂに第２のブラケット１６の嵌合凸部１６ａが嵌まる途中の状態を示し、（ｃ）は嵌合凹部１０ｂに嵌合凸部１６ａが嵌合した様子を示している。
【００６１】
図１２（ａ）の状態から第１のロックブラケット１０が回動すると、図１２（ｂ）に示すように凸部１０ｃが凹部１６ｂから離脱し、これにより第２のロックブラケット１６が上述した引張りスプリング２０によって矢印Ｃ方向に回動し、次に図１２（ｃ）に示すように第１のロックブラケット１０の嵌合凹部１０ｂに第２のロックブラケット１６の嵌合凸部１６ａが嵌まり扉２が施錠される。
【００６２】
以上説明したように、本実施例ではキーシリンダーを施錠して扉をロックするように構成したので、ソレノイドを用いる構成と比べてより安価で、かつ簡単なキー操作でロックを解除する扉ロック機構を実現することができる。
【実施例２】
【００６３】
本実施例では上述した実施例１における以下の問題点を解決するための手段を提供する。
【００６４】
上述した実施例１では、扉２の上部と下部に設けた２つのロック機構部４がそれぞれ独立しており、ロック機構部４で扉２をロック施錠するために扉２を押しこまなくてはならないので、押し込みが弱いと２箇所のうちの１箇所だけしかロックされないことがある。
【００６５】
例えば扉２の下側だけが施錠されて上側がロックされない場合、扉の上側を無理にこじ開けようとすると、図１３に示すように扉２が撓んでカセット本体と扉の間に隙間ができ、カセット本体１内部にアクセスでき、カセット本体１の中に装填されている紙幣が容易に取出されてしまう。
【００６６】
その後、扉２の上側を押してロックさせると、カセット本体および扉に傷をつけたり、壊したりすること無く紙幣を抜き取ることができるので、通常の紙幣装填動作と区別ができない。よって操作ミスなどにより扉の一部が施錠されなかった場合、不正に紙幣を抜き取られる可能性が有るという問題がある。
【００６７】
ここで、図１４は実施例２の連結リンクとロック機構部の接続を示す概略斜視図である。
【００６８】
なお、上記実施例１と同様の部分は同一の符号を付してその説明を省略する。
【００６９】
図１４において、４０は連結リンクであり、カセット本体１の図示されないフレームに固定され、矢印ＧおよびＨ方向（上下方向）に昇降可能に構成され、連結リンク４０の上部および下部にそれぞれ挿通孔４０ａ、４０ｂを形成する。また上述したように突出部２７を有している。
【００７０】
挿通孔４０ａ、４０ｂは、上記実施例１の挿通孔２６ａ、２６ｂと同様に各第２のロックブラケット１６のスタッド１８を挿通させており、矢印Ｐで示す挿通孔４０ａ、４０ｂの縦方向の長さをスタッド１８の直径とほぼ同一の長さとし、横方向の長さをスタッド１８の移動を妨げない程度の長さで形成されている。
【００７１】
４２はキーリンクであり、一端をキーシリンダー３に固定され、他端で連結リンク４０の突出部２７を下方から支持する構造となっており、キーシリンダー３に鍵が差し込まれて回動した際にそのキーシリンダー３と共に回動する。
【００７２】
４４は連結リンクスプリングであり、その一端を連結リンク４０の下端に取り付け、他端をカセット本体１の図示しないフレームに固定され、連結リンク４０を下方に引張る引張りスプリングである。
【００７３】
上記構成の作用について説明する。
【００７４】
ここで、図１５は実施例２の扉をロックしているときの扉ロック機構を示す説明図、図１６はロック解除時の扉ロック機構を示す説明図である。
【００７５】
図１５に示すように上下のロック機構部４の係止溝１０ａに扉ロックポスト７ａ、７ｂが係止されている扉２のロック解除のため、係員が差込口に鍵を差したキーシリンダー３を図１６に示す矢印Ｊ方向に回すと、キーシリンダー３と共にキーリンク４２が回動する。
【００７６】
そしてキーリンク４２によって支持されている突出部２７が持ち上げられ、連結リンク４０が矢印Ｇ方向に移動することで、上記実施例１と同様に扉２のロックが解除される。
【００７７】
図１７はロック解除後のキーシリンダーの位置を示す説明図である。
【００７８】
扉２のロックが解除後、キーシリンダー３をまわす力が無くなると、リンク引張スプリング３０によりキーシリンダー３およびキーリンク４２は図１７で示す矢印Ｋ方向に回動し、キーシリンダー３の差込口の位置が垂直となり、鍵が抜ける状態になる。
【００７９】
このとき、連結リンク４０の上下の挿通孔４０ａ、４０ｂにはそれぞれスタッド１８が挿通し、そのスタッド１８により連結リンク４０の位置が決められる。
【００８０】
また各スタッド１８を有する各ロック機構部４は、第１のロックブラケット１０の凸部１０ｃが第２のロックブラケットの凹部１０ｂに嵌まった状態で、第２のロックブラケット１６は扉２をロックしていた状態と比較し、回転軸１７を中心に上方に回動していてスタッド１８の位置が上がったままとなっている。
【００８１】
そのため、図１７に示すように、キーリンク４２が矢印Ｋ方向に回動しても、連結リンク４０は下降せずに、持ち上げられた状態を保っている。
【００８２】
図１８は下側のロック機構部の第１のロックブラケットが回動した様子を示す説明図である。
【００８３】
扉２をロックするために係員が扉２を閉じる際に、扉２を押し込む力が弱く下側のロック機構部４の第１のロックブラケット１０に対してのみ扉ロックポスト７ｂが当たった場合、図１８に示すように扉ロックポスト７ｂは係止溝１０ａに入り込むようにして、下部に設けられたロック機構部４の第１のロックブラケット１０に当接し、第１のロックブラケット１０が回転軸１１を支点にして矢印Ｅ方向に回転する。
【００８４】
このとき、上部のロック機構部４の第１のロックブラケット１０には扉ロックポスト７ａが当たらず、上部のロック機構部４は動かずにそのままの位置を保つこととなり、図１７で示したように、持ち上がられた状態の連結リンク４０により各第２のロックブラケット１６はスタッド１８を取り付けている箇所が持ち上がった状態となる。
【００８５】
そのため、下部の第１のロックブラケット１０が、矢印Ｅ方向に回動しても、第２のロックブラケット１６が動かないために、嵌合凹部１０ｂに嵌合凸部１６ａが嵌合しないため、上部のロック機構部４と共に下部のロック機構部４においても扉２がロックされることがなく、そのような状態で係員が扉２を開こうとすれば、容易に扉２が開いてしまう。
【００８６】
なお、上下に配されたロック機構部４を同時にロックために扉ロックポスト７ａ、７ｂで２箇所の２つの第１のロックブラケット１０を回動させると、２つの第２のロックブラケット１６が各第１のロックブラケット１０側に回動し、連結リンク４０が下降して第１のロックブラケット１０の嵌合凹部１０ｂに第２のロックブラケット１６の嵌合凸部１６ａが嵌合するようになり、扉２がロックされるようになる。
【００８７】
以上説明したように、本実施例では、上記実施例１の効果に加え、扉を押し込むことで扉がロックされる構造において、２箇所のロック機構部の各第１のロックブラケットに対して扉に設けた扉ロックポストを確実に当てるようにしないと、扉がロックされないので、扉を閉める係員に対して扉を閉じるための手動操作を慎重に行わせることができ、扉の押し込みが弱いために一方のロック機構部でのロックをし忘れるという操作ミスを防止でき、そのような操作ミスなどから不正にカセット本体から紙幣を抜き取られることを防止できる。
【００８８】
なお、上記実施例２においては、扉への押し込みが弱く、下側のロック機構部の第１のロックブラケットだけに扉ロックポストが当たった場合で説明したが、上部のロック機構部の第１のロックブラケットのみに扉ロックポストが当たった場合にも上述したように、連結リンクは下降しないようになる。
【実施例３】
【００８９】
上記各実施例と同様の部分は同一の符号を付してその説明を省略する。
【００９０】
図１９は実施例２の扉の裏側を示す説明図である。
【００９１】
図１９において、５０はシャフトであり、扉２の裏側で、かつ扉ロックポストユニット５ａ、５ｂの近傍に設けられて、扉２の裏面から垂直に伸びる。
【００９２】
なお扉ロックポストユニット５ａの近傍に配したシャフトはシャフト５０ａとし、そのシャフト５０ａは扉ロックポストユニット５ａの上方に設けるものとする。
【００９３】
また扉ロックポストユニット５ｂの近傍に配したシャフトはシャフト５０ｂとし、そのシャフト５０ｂは扉ロックポストユニット５ｂの下方に設けるものとする。
【００９４】
図２０は実施例３の連結リンクとロック機構部の接続を示す概略斜視図である。
【００９５】
図２０において、５２は連結リンクであり、上部には挿通孔５２ａ、下部には挿通孔５２ｂを設け、さらに上部に配されるロック機構部４の第１のロックブラケット１０と第２のロックブラケット１６との動作を妨げない位置にリンクスタッド５３ａを設け、下部に配されるロック機構部４の第１のロックブラケット１０と第２のロックブラケット１６との動作を妨げない位置にリンクスタッド５３ｂを設けている。
【００９６】
本実施例では挿通孔５２ａよりも上部にリンクスタッド５３ａを設け、挿通孔５２ｂよりも下部にリンクスタッド５３ｂを設けている。
【００９７】
連結リンク５２の挿通孔５２ａには、ロック機構部４ａの第２のロックブラケット１６のスタッド１８が挿通し、連結リンク５２の下側の挿通孔５２ｂには、ロック機構部４ｂの第２のロックブラケット１６のスタッド１８が挿通する。
【００９８】
また、挿通孔５２ａ、５２ｂは、縦方向の長さをスタッド１８の直径とほぼ同一また、それよりも若干長くし、横方向の長さをスタッド１８の移動を妨げない程度の長さで形成されている。
【００９９】
５４ａはリンクロック部であり、連結リンク５２を挟むように扉２の反対側で、かつリンクスタッド５３ａの近傍にリンクロック回転軸５５ａを介してカセット本体１のフレームに回転可能に取り付けられ、Ｌ字形に形成されている。
【０１００】
５４ｂはリンクロック部であり、連結リンク５２を挟むように扉２の反対側で、かつリンクスタッド５３ｂの近傍にリンクロック回転軸５５ｂを介してカセット本体１のフレームに回転可能に取り付けられ、Ｌ字形に形成される。
【０１０１】
ここで、Ｌ字形であるリンクロック部５４ａ、５４ｂの図２０においてリンクスタッド５３ａ、５３ｂ側に突き出ている部分をスタッド支持部５７ａ、５７ｂとし、扉２がロックされているときは、各スタッド支持部５７ａ、５７ｂの先端がリンクスタッド５３ａ、５３ｂに当接する。
【０１０２】
リンクロック部５４ａ、５４ｂは、扉２が開いて上記実施例２の連結リンク４０と同様にして本実施例の連結リンク５２が持ち上がったとき、リンクスタッド５３ａ、５３ｂの下方にスタッド支持部５７ａ、５７ｂが入り込むように、その大きさや位置が定められる。
【０１０３】
そして、スタッド支持部５７ａ、５７ｂはリンクスタッド５３ａ、５３ｂの下方に入り込んだときにリンクスタッド５３ａ、５３ｂと係合し、リンクロック部５４ａ、５４ｂがこれにより連結リンク５２に対してその下降を阻止するように支持する。
【０１０４】
５６ａはブラケットスプリング（第３の付勢手段）であり、片端をリンクロック部５４ａに固定し、他端を図示しないフレームに固定してリンクロック部５４ｂを図２１に示す矢印Ｑ方向、つまりリンクスタッド５３ａ側に回転させる付勢力を与える。
【０１０５】
５６ｂはブラケットスプリング（第３の付勢手段）であり、片端をリンクロック部５４ｂに固定し、他端を図示しないフレームに固定してリンクロック部５４ａを図２１に示す矢印Ｑ方向、つまりリンクスタッド５３ｂ側に回転させる付勢力を与える。
【０１０６】
図２１は実施例３において扉がロックされているときの扉ロック機構を示す説明図、図２２は扉のロックが解除された扉ロック機構を示す説明図である。
【０１０７】
図２１においてはスタッド２８、キーシリンダー３、キーリンク４２の向きは説明のために図１９で示す実際の向きから９０度位置をずらし、ロック機構部４と同じ向きにして記載しており、以降の図についても同様にして示す。
【０１０８】
扉２が閉じられ２箇所のロック機構部４でロックした場合、図２１に示すようにリンクロック部５４ａは扉２の裏側に固定されているスタッド５０ａにより押圧され、スタッド支持部５７ａがリンクスタッド５３ａよりも図中右側に位置する。そのためリンクスタッド５３ａはリンクロック部５４ａの前方に突出している状態となる。
【０１０９】
このとき、扉２のロックを解除するために、図示しない鍵を差込口に差してキーシリンダー３を図２２に示す矢印Ｊ方向に回転させてキーリンク４２を回転させたとき、そのキーリンク４２の回転により突出部２７が持ち上がり、よって連結リンク５２が矢印Ｇ方向に移動（上昇）する。
【０１１０】
また、連結リンク５２の上昇により第２のロックブラケット１６のスタッド１８も持ち上がり、第２のロックブラケット１６の嵌合凸部１６ａと第１のロックブラケット１０の嵌合凹部１０ｂとの嵌合が解除される。
【０１１１】
さらに、第１のロックブラケット１０が引張りスプリング２１により上方に回動するため、第１のロックブラケット１０の凸部１０ｃが第２のロックブラケットの凹部１０ｂに嵌まり、第２のロックブラケット１６は扉２をロックしていた状態と比較し、回転軸１７を中心に上方に回動した状態で支持された状態となる。
【０１１２】
また、連結リンク５２の上昇と共にリンクスタッド５３ａ、５３ｂも上昇するため、スタッド５３ａはリンクロック部５４ａのスタッド支持部５７ａよりも上方に移動する。このとき扉２のロックが解除され扉２が開けられると、シャフト５０ａ、５０ｂが図２２の矢印Ｌ方向に移動する。
【０１１３】
そして、リンクロック部５４ａはブラケットスプリング５６ａに引張られ、リンクロック回転軸５５ａを中心に矢印Ｑ方向に回動し、スタッド支持部５７ａがリンクスタッド５３ａの下側に入り込むことで、スタッド支持部５７ａとリンクスタッド５３ａが係合する。
【０１１４】
同様にリンクスタッド５３ｂもリンクロック部５４ｂのスタッド支持部５７ｂよりも上方に移動するために、リンクロック部５４ｂはスプリング５６ｂに引張られ、リンクロック回転軸５５ｂを支点に矢印Ｑ方向に回転し、リンクロック部５４ｂのスタッド支持部５７ｂがリンクスタッド５３ｂの下側に入り込んで係合する。
【０１１５】
そのため、連結リンク５２は、挿通孔５２ａ、５２ｂに挿通するスタッド１８により下降が阻止されると共に、リンクロック部５４ａ、５４ｂとによってもその下降が阻止される。
【０１１６】
図２３はロックが解除されて扉が開いているときの扉ロック機構を示す説明図である。
【０１１７】
扉２のロックが解除後、係員がキーシリンダー３に鍵を差したまま鍵から手を離すと、リンク引張スプリング３０によりキーシリンダー３およびキーリンク４２は図２３で示す矢印Ｋ方向に回動し、キーシリンダー３の差込口の位置が垂直となり、鍵が抜ける状態になる。
【０１１８】
このとき突出部２７にはキーリンク４２からの力が作用しない状態であるが、連結リンク５２は下降が阻止されており、持ち上げられた状態のままとなっている。
【０１１９】
図２４は下部のロック機構部にのみ扉ロックポストが当たった様子を示す説明図である。
【０１２０】
係員が扉２を閉める際に扉２を押し込む力が弱く、扉２の下側のみに力が掛かっていた場合について以下に示す。
【０１２１】
扉２を押し込む力が弱く扉２の下側だけが押し込まれた場合、扉ロックポスト７ｂは図２４で示すように第１のロックブラケット１０の係止溝１０ａに入り込んで第１のロックブラケット１０を押圧することで、第１のロックブラケット１０が回転軸１１を中心に回動する。
【０１２２】
これにより、カセット本体１の下部に配された第１のロックブラケット１０の凸部１０ｃと第２のブラケット１６の凹部１６ｂとの接触が解除される。
【０１２３】
また、シャフト５０ｂの先端がリンクロック部５４ｂに押圧し、リンクロック部５４ｂのリンクスタッド５３ｂに対する係合を解除させるように、リンクロック部５４ｂをリンクスタッド５３ｂから退避させる。
【０１２４】
このときカセット本体１の下部のロック機構部４の第２のブラケット１６には引張りスプリング２０による引張力で回転軸１７を中心とする回転力が作用するが、連結リンク５２は、カセット本体１の上部に配された第１のロックブラケット１０は回動していないことから、連結リンク５２はその下降が阻止されたままの状態であり、扉２が開けられたときの位置から移動しない。
【０１２５】
そのため、挿通孔５２ｂの位置も保持されて第２のロックブラケット１６はスタッド１８が挿通孔５２ｂにより矢印Ｃ方向への回転できない状態となっている。
【０１２６】
この状態で扉２を押し込む力が抜けると、リンクロック部５４ｂがブラケットスプリング５６ｂによりリンクスタッド５３ｂ側に回転していくことで、シャフト５０ｂが矢印Ｌ方向、つまり扉２が開かれる方向へと押し戻されると共に、扉ロックポスト７ｂが矢印Ｌ方向へと移動する。
【０１２７】
そのため、下側のロック機構部４の第１のロックブラケット１０の係止溝１０ａから扉ロックポスト７ｂが離れ、扉２が完全に閉められない状態となる。
【０１２８】
また扉２を押し戻して扉ロックポスト７ｂが係止溝１０ａから離れると、リンクロック部５４ｂのスタッド支持部５７ｂはリンクスタッド５３ｂの下側に入り込むようになり、図２３の状態に戻ってしまう。
【０１２９】
以上説明したように、本実施例は上記実施例２の効果に加え、２つのロック機構部で扉をロックできなかったときに、扉が開いてしまうようになるので扉を閉める係員は扉にロックが掛かっていないことがすぐにわかり、係員に対してより扉を閉じるための手動操作を慎重に行わせることができ、扉の押し込みが弱いために一方のロック機構部でのロックをし忘れるという操作ミスを防止でき、そのような操作ミスなどから不正にカセット本体から紙幣を抜き取られることを防止できる。
【０１３０】
なお、上記各実施例においてはロック機構部を２箇所設けた場合で説明したが、２箇所以上であってもよい。
【符号の説明】
【０１３１】
１    カセット本体
２    扉
３    キーシリンダー
４    ロック機構部
５ａ、５ｂ  扉ロックポストユニット
６ａ、６ｂ  ブラケット
７ａ、７ｂ  扉ロックポスト
８    回転支点軸
１０  第１のロックブラケット
１０ａ  係止溝
１０ｂ  嵌合凹部
１０ｃ  凸部
１１、１７  回転軸
１２、１８、２８  スタッド
１５  ベースブラケット
１６  第２のロックブラケット
１６ａ  嵌合凸部
１６ｂ  凹部
２０、２１  引張りスプリング
２５  キーリンク
２６、４０  連結リンク
２６ａ、２６ｂ、４０ａ、４０ｂ  挿通孔
２７  突出部
３０  リンク引張スプリング
４０  連結リンク
４０ａ、４０ｂ  挿通孔
４２  キーリンク
４４  連結リンクスプリング
５０  シャフト
５２  連結リンク
５２ａ、５２ｂ  挿通孔
５３ａ、５３ｂ  リンクスタッド
５４ａ、５４ｂ  リンクロック部
５５ａ、５５ｂ  リンクロック回転軸
５７ａ、５７ｂ  スタッド支持部
５６ａ、５６ｂ  ブラケットスプリング
【図１】
2011058164.tif 000003
【図２】
2011058164.tif 000004
【図３】
2011058164.tif 000005
【図４】
2011058164.tif 000006
【図５】
2011058164.tif 000007
【図６】
2011058164.tif 000008
【図７】
2011058164.tif 000009
【図８】
2011058164.tif 000010
【図９】
2011058164.tif 000011
【図１０】
2011058164.tif 000012
【図１１】
2011058164.tif 000013
【図１２】
2011058164.tif 000014
【図１３】
2011058164.tif 000015
【図１４】
2011058164.tif 000016
【図１５】
2011058164.tif 000017
【図１６】
2011058164.tif 000018
【図１７】
2011058164.tif 000019
【図１８】
2011058164.tif 000020
【図１９】
2011058164.tif 000021
【図２０】
2011058164.tif 000022
【図２１】
2011058164.tif 000023
【図２２】
2011058164.tif 000024
【図２３】
2011058164.tif 000025
【図２４】
2011058164.tif 000026